(57)【特許請求の範囲】
【請求項１】
水を溜める領域を有するタンクと、
前記水の水位に応じて上下動する浮きと、
前記浮きに設けられたマグネットと、
鉛直下向き方向を挿入方向として挿入される前記浮きを収容し、前記水を溜める領域に対して凸状に形成され、前記水を溜める領域から前記水を浸入させるスリットと、底面と、を有する浮き収容部と、
前記浮き収容部を奥側としてスライド方向にスライドされて装着される前記タンクを収容し、前記浮き収容部の前記凸状に対応する形状を有し、前記底面の外側が接する面を有する内部ケースと、
前記内部ケースに設けられ、前記マグネットの磁界を検出するＡＭＲ（Anisotropic-Magneto-Resistance）センサと、
前記ＡＭＲセンサの検出結果に基づいて前記タンクの水位を検知する制御部と、
前記マグネットが前記ＡＭＲセンサに対して所定位置になるよう、前記タンクが前記内部ケースに対して装着される際に前記浮き収容部の位置を案内する装着ガイドと、を備え、
前記マグネットおよび前記ＡＭＲセンサは、前記挿入方向と直交する方向であり、かつ前記スライド方向に一致する対向方向において対向しており、
前記所定位置は、前記挿入方向および前記対向方向と直交する方向における前記マグネットの中心と前記ＡＭＲセンサの中心とが一致する位置であり、
前記装着ガイドは、前記浮き収容部の前記底面の外側および前記内部ケースの前記底面の外側と接する面の一方に設けられた凸部と、前記底面の外側および前記内部ケースの前記底面の外側が接する面の他方に設けられた前記凸部と嵌合する凹部であることを特徴とする空気調和機。
【請求項２】
前記挿入方向および前記対向方向と直交する方向における前記マグネットの中心は、前記挿入方向および前記対向方向と直交する方向における前記浮きおよび前記浮き収容部の中心と一致しており、
前記浮き収容部の底面の外側に設けられた凸部または凹部は、前記浮き収容部の前記挿入方向および前記対向方向と直交する方向における中心に沿って設けられ、
前記内部ケースの前記底面の外側と接触する面に設けられた凹部または凸部は、前記ＡＭＲセンサの前記挿入方向および前記対向方向と直交する方向における中心に沿って設けられた請求項１記載の空気調和機。
【請求項３】
前記凹部または凸部は、前記スライド方向の手前側から奥側に向って細くなるテーパ状である請求項１または２記載の空気調和機。
【請求項４】
前記マグネットは、前記挿入方向および前記対向方向と直交する方向に着磁方向を有する縦長の直方体であり、
前記ＡＭＲセンサは、前記着磁方向に平行な磁界を検出する請求項１〜３のいずれか一項記載の空気調和機。
【請求項５】
前記空気調和機は、除湿機である請求項１〜４のいずれか一項記載の空気調和機。
【発明の詳細な説明】
【技術分野】
【０００１】
本発明は、除湿機などの空気調和機に係り、特に、タンクの水位を検出する機能を有する空気調和機に関する。
【背景技術】
【０００２】
空気調和機の一例である除湿機には、発生したドレン水を溜めるドレンタンクが設けられている。このドレンタンクには、満水を検知するための装置が設けられている。例えば特許文献１には、タンク内に回動自在に軸支されたフロートが開示されている。このフロートは、両端部の支軸をタンクの一対のリブに設けた軸穴に挿入することで、排水タンクに回動自在に保持されている。
【０００３】
フロートの一端にはマグネットが設けられている。マグネットは、フロートの動きに対応した上下動によって除湿機本体側に設置されたリードスイッチの接点を開閉する。これにより、タンク内に貯められた水の満水検知を行う。
【先行技術文献】
【特許文献】
【０００４】
【特許文献１】特開２００１−２６３７２３号公報
【発明の概要】
【発明が解決しようとする課題】
【０００５】
回動軸を有するフロートは、その検出機構からフロートの構造が複雑になってしまう。これに起因して、タンクの構造は複雑になり、フロートやタンクの清掃性も低下してしまう。
【０００６】
また、リードスイッチを使用した検出機構は、接点の機械動作による劣化から信頼性が低いという課題があった。
【０００７】
本発明はこのような事情を考慮してなされたもので、構造が簡易化でき信頼性の高い水位検知が可能な空気調和機を提供することを目的とする。
【課題を解決するための手段】
【０００８】
本発明に係る空気調和機は、上述した課題を解決するために、水を溜める領域を有するタンクと、前記水の水位に応じて上下動する浮きと、前記浮きに設けられたマグネットと、鉛直下向き方向を挿入方向として挿入される前記浮きを収容し、前記水を溜める領域に対して凸状に形成され、前記水を溜める領域から前記水を浸入させるスリットと、底面と、を有する浮き収容部と、前記浮き収容部を奥側としてスライド方向にスライドされて装着される前記タンクを収容し、前記浮き収容部の前記凸状に対応する形状を有し、前記底面の外側が接する面を有する内部ケースと、前記内部ケースに設けられ、前記マグネットの磁界を検出するＡＭＲ（Anisotropic-Magneto-Resistance）センサと、前記ＡＭＲセンサの検出結果に基づいて前記タンクの水位を検知する制御部と、前記マグネットが前記ＡＭＲセンサに対して所定位置になるよう、前記タンクが前記内部ケースに対して装着される際に前記浮き収容部の位置を案内する装着ガイドと、を備え、前記マグネットおよび前記ＡＭＲセンサは、前記挿入方向と直交する方向であり、かつ前記スライド方向に一致する対向方向において対向しており、前記所定位置は、前記挿入方向および前記対向方向と直交する方向における前記マグネットの中心と前記ＡＭＲセンサの中心とが一致する位置であり、前記装着ガイドは、前記浮き収容部の前記底面の外側および前記内部ケースの前記底面の外側と接する面の一方に設けられた凸部と、前記底面の外側および前記内部ケースの前記底面の外側が接する面の他方に設けられた前記凸部と嵌合する凹部であることを特徴とする。
【発明の効果】
【０００９】
本発明に係る空気調和機においては、構造が簡易化でき信頼性の高い水位検知が可能である。
【図面の簡単な説明】
【００１０】
【図１】本実施形態における除湿機の外観斜視図。
【図２】除湿機の分解斜視図。
【図３】除湿機の縦断面図。
【図４】除湿機の機能構成を示す概略的な機能ブロック図。
【図５】ドレンタンクを上方から見た斜視図。
【図６】ドレンタンクの内側から見た浮きが収容された浮き収容部を特に示す図であり、（Ａ）は浮き収容部の縦断面図、（Ｂ）は浮きが挿入された場合の浮き収容部を示すドレンタンクの縦断面図、（Ｃ）は図６（Ｂ）の浮きが上昇した場合のドレンタンクの縦断面図。
【図７】満水検知ユニットを特に説明する除湿機の縦断面図。
【図８】（Ａ）は浮きの表面から見た外観斜視図、（Ｂ）は浮きの裏面から見た外観斜視図、（Ｃ）は浮きの縦断面図。
【図９】ファンケースをタンク室側から見た斜視図。
【図１０】ドレンタンクを挿入方向奥側から見た斜視図。
【図１１】図７のXI-XI線に沿う断面図。
【図１２】図７のXII−XII線に沿う断面図。
【発明を実施するための形態】
【００１１】
本発明に係る空気調和機の一実施形態を添付図面に基づいて説明する。本実施形態においては、本発明の空気調和機を、蒸気圧縮式冷凍サイクルを利用し空気中に含まれる水分を結露させて除湿する除湿機に適用して説明する。
【００１２】
図１は、本実施形態における除湿機１の外観斜視図である。
図２は、除湿機１の分解斜視図である。
図３は、除湿機１の縦断面図である。
図４は、除湿機１の機能構成を示す概略的な機能ブロック図である。
【００１３】
除湿機１は、除湿機１の外観を構成する右枠２と、左枠３と、化粧板４と、ベース５とを有している。右枠２と左枠３とが嵌まり合った上端部分は、取手１０を形成する。右枠２は、複数のスリットを有する吸込口１１を有している。吸込口１１は、外側表面１２側にフィルタ１３と、フィルタケース１４とを有している。フィルタ１３は、樹脂製の網や不織布などからなり、吸入空気に混入する塵埃や臭い成分などを取り除く。フィルタケース１４は、フィルタ１３を吸込口１１に取り付ける。また、右枠２は、ドレンタンク１５が着脱されるタンク挿入口１６を吸込口１１下部に有している。
【００１４】
左枠３は、複数のスリットを有する吹出口２０を上部に有している。吹出口２０は、乾燥空気の吹出方向を斜め上方向から水平方向に制御可能な風向板２１を有している。風向板２１は、風向板モータ２２により駆動される。
【００１５】
化粧板４は、上方に操作部２５を有している。操作部２５は、図２に示すように、化粧板４の上面２６と、操作部ケース２７と、操作ユニット２８とで構成されている。操作部２５は、例えば、運転スイッチ、タイマースイッチ、運転モード選択スイッチなどのスイッチ類２９と、運転ランプなどのランプ類３０とを有している。
【００１６】
除湿機１は、主な内部部品として、シロッコファン３１と、ファンモータ３２と、冷凍装置と、ドレンタンク１５と、コントロールユニット３４と、満水検知機構とを有している。
【００１７】
シロッコファン３１は、ファンモータ３２の回転軸と同軸状に回転中心が固定されている。シロッコファン３１は、吸込口１１から空気を吸い込み、吹出口２０から吹き出す風路を形成する。シロッコファン３１およびファンモータ３２は、ファンケース３６に取り付けられている。
【００１８】
冷凍装置は、冷媒が流れる順に、圧縮機４０と、凝縮器４１と、減圧装置４２と、蒸発器４３と、アキュムレータ４４とを有している。冷媒は、蒸発器４３を流れる際に蒸発器４３の外側を通過する空気から熱を奪い蒸発する。これにより、蒸発器４３の表面は露点温度以下に冷却され、そこを通過する空気中の水分が蒸発器４３の表面に結露する。この原理により、除湿機１が空気中から水分を除去して除湿する。
【００１９】
圧縮機４０は、ベース５上に固定されており、配管４５を介して蒸発器４３および凝縮器４１に接続されている。蒸発器４３および凝縮器４１は、第１熱交換器４８と第２熱交換器４９とでそれぞれ構成されている。第１熱交換器４８と第２熱交換器４９とは、それぞれフィンチューブ型の熱交換器であり、同一風路内に上流側から第１熱交換器４８、第２熱交換器４９の順に配置されている。蒸発器４３および凝縮器４１は、ファンケース３６におけるシロッコファン３１が固定された面と逆の面にドレンパン５０を介して固定されている。ドレンパン５０は、蒸発器４３で発生した結露水を受け、排水口５１からドレンタンク１５へ結露水を導く。
【００２０】
以上の構成により、吸込口１１から吸込まれた空気は、フィルタ１３で塵埃や臭い成分などが取り除かれた後、蒸発器４３で水分が除去され、さらに凝縮器４１を通過し、シロッコファン３１によって吹出口２０から吹き出される。
【００２１】
ドレンタンク（タンク）１５は、ドレンパン５０の排水口５１から排水される、発生したドレン水を溜める。ドレンタンク１５は、タンク挿入口１６を介してファンケース３６に対して水平方向のスライドにより着脱される。ドレンタンク１５は、ファンケース３６により形成されたタンク室５２（図３）に装着される。
【００２２】
ドレンタンク１５はタンク蓋５３を有し、排水口５１からの結露水はタンク蓋５３よりドレンタンク１５内に落下する。ドレンタンク１５は、鉛直下向き方向を挿入方向として挿入される浮き８０を収容する浮き収容部５４を有する。
【００２３】
ここで、図５は、ドレンタンク１５を上方から見た斜視図である。
【００２４】
図６は、ドレンタンク１５の内側から見た浮き８０が収容された浮き収容部５４を特に示す図であり、（Ａ）は浮き収容部５４の縦断面図、（Ｂ）は浮き８０が挿入された場合の浮き収容部５４を示すドレンタンク１５の縦断面図、（Ｃ）は（Ｂ）の浮き８０が上昇した場合のドレンタンク１５の縦断面図である。
【００２５】
浮き収容部５４は、ドレンタンク１５装着方向における奥側であって、後述するＡＭＲセンサ８２と対向する位置に設けられる。浮き収容部５４は、スリット５５と、挿入ガイド５６と、立ち上がり部５７と、抜け防止ピン５８とを有する。スリット５５は、浮き収容部上端６０から下端６１まで縦方向に設けられ、ドレンタンク１５内のドレン水を浮き収容部５４に浸入させる。また、スリット５５は、浮き８０の挿入方向に突起８７を案内する。挿入ガイド５６は、浮き収容部５４の側面６２より立ち上がって形成される。挿入ガイド５６は、左右両側面６２側から浮き８０側への立ち上がり高さが変化する。これにより、浮き収容部５４に対する浮き８０の挿入方向手前側から奥側に向って幅広領域６３と幅狭領域６４（図６（Ｃ））とが浮き８０が収容される空間に形成される。
【００２６】
立ち上がり部５７は、浮き収容部５４の底面６５およびスリット５５の端部より浮き収容部５４の内側に向けて垂直に立ち上がった２本の部材である。挿入ガイド５６および立ち上がり部５７は、挿入された浮き８０と線接触し浮き８０を支持することにより、浮き収容部５４の側面６２や底面６５と浮き８０とが面接触し表面張力により張り付いてしまうことを防止する。抜け防止ピン５８は、浮き収容部５４の上端に着脱可能に設けられ、浮き８０が浮き収容部５４から抜け落ちることがないように浮き８０を支持する。
【００２７】
なお、ドレンタンク１５およびファンケース（内部ケース）３６は、マグネット８１がＡＭＲセンサ８２に対して所定位置になるよう、浮き収容部５４の位置を案内する装着ガイドを有する。装着ガイドの詳細については後述する。
【００２８】
図４に示すコントロールユニット３４（制御部）は、スイッチ類２９からの指示に基づいて風向板モータ２２、ファンモータ３２や圧縮機４０などを電気的に制御することにより、除湿機１の動作を制御する。コントロールユニット３４は、記憶部７０およびタイマ７１を有している。記憶部７０は、スイッチ類２９より受け付けた指示に基づいて実行される、風向板モータ２２、ファンモータ３２、圧縮機４０およびランプ類３０の動作プログラムなどを記憶する。タイマ７１は、除湿機１のタイマ運転などのための計時を行う。温度センサ７５および湿度センサ７６は、除湿機１本体の所定位置に設けられ、除湿機１の周囲温度および湿度を計測し、コントロールユニット３４は必要に応じて得られた値を制御に使用する。報知部７８は、コントロールユニット３４の指示に基づいてユーザに状況を知らせるためのアラームを報知する。
【００２９】
コントロールユニット３４は、ＡＭＲセンサ８２の検出結果に基づいて、ドレンタンク１５の水位（満水）を検知する。以下、ＡＭＲセンサ８２を含む満水検知ユニットの詳細について説明する。
【００３０】
図７は、満水検知ユニットを特に説明する除湿機１の縦断面図である。
【００３１】
満水検知ユニットは、浮き８０と、浮き８０に設けられたマグネット８１と、マグネット８１の磁界を検出するＡＭＲセンサ８２とを有している。
【００３２】
図８（Ａ）は浮き８０の表面８８から見た外観斜視図、（Ｂ）は浮き８０の裏面８６から見た外観斜視図、（Ｃ）は浮き８０の縦断面図である。
【００３３】
浮き８０は、ドレンタンク１５の浮き収容部５４に収容され、ドレンタンク１５内の水位に応じて上下動する。浮き８０は、縦長の直方体であり、発泡ポリスチレンなどの浮力を有する材料で形成されている。浮き８０は、上端部に幅を大きくする幅広部８５を有する。図８（Ａ）に示す幅広部８５の幅Ｗ１は、図６（Ｃ）に示すように、浮き収容部５４内に形成される幅狭領域６４の幅よりも大きく、かつ幅広領域６３の幅よりも小さい。これに対し、幅広部８５以外の浮き８０の幅Ｗ２は、幅狭領域６４の幅よりも小さい。なお、幅広部８５（幅広領域６３）の挿入方向（図７におけるＸ軸方向）長さは特に限定されず、本実施形態で図示するよりも長くても短くてもよい。
【００３４】
浮き８０は、ＡＭＲセンサ８２との対向面と反対の面である裏面８６に突起８７を有する。突起８７は、スリット５５に沿って浮き収容部５４に挿入可能な寸法を有する。突起８７の突出方向（Ｙ軸方向）は、幅広部８５の幅方向（Ｚ軸方向）と直交する方向である。
【００３５】
マグネット８１は、ＡＭＲセンサ８２との対向面における水平方向（Ｚ軸方向）に着磁方向（Ｎ極、Ｓ極の位置は問わない）を有する、薄板状で縦長の直方体である。マグネット８１の寸法は、例えば、長さ１５ｍｍ×幅８ｍｍ×厚さ３ｍｍである。マグネット８１は、浮き８０のＡＭＲセンサ８２との対向面である表面８８に形成された凹部に、マグネット８１の幅方向中心が浮き８０の幅方向中心と一致するように嵌め込まれて配置されている。なお、浮き８０の幅Ｗ２は幅狭領域６４の幅よりも小さいため、浮き収容部５４内で浮き８０が幅方向に移動する。マグネット８１は、この場合であってもＡＭＲセンサ８２がマグネット８１の磁界を検出可能となるような寸法に設計されている。
【００３６】
ＡＭＲセンサ（Anisotropic-Magneto-Resistance、異方性磁気抵抗センサ）８２は、信号処理回路などと共に基板９０に実装され、マグネット８１の着磁方向に平行な、水平方向の磁界を検出するようにファンケース３６に取り付けられている。具体的には、ＡＭＲセンサ８２は、ファンケース３６のタンク室５２とは逆面であってドレンタンク１５の浮き収容部５４（浮き８０、マグネット８１）に対応する位置に設けられる（詳細は後述）。すなわち、マグネット８１およびＡＭＲセンサ８２は、挿入方向と直交する方向（対向方向、Ｙ軸方向）において対向している。
【００３７】
マグネット８１とＡＭＲセンサ８２との位置関係は、ドレンタンク１５の水位が規定の満水位置になるまでＡＭＲセンサ８２がマグネット８１の磁界を検出し（所定値以上の強さの磁界を検出し）、満水位置になった場合に磁界を検出しない（所定値より小さい強さの磁界を検出する）ように規定されている。
【００３８】
ここで、満水検知ユニットが正確に検出を行うためには、マグネット８１とＡＭＲセンサ８２との位置関係が正確であることが求められる。そこで、本実施形態における除湿機１は、マグネット８１がＡＭＲセンサ８２に対して所定位置になるよう、浮き収容部５４の位置を案内する装着ガイドを有する。
【００３９】
図９は、ファンケース３６をタンク室５２側から見た斜視図である。
図１０は、ドレンタンク１５を挿入方向奥側から見た斜視図である。
図１１は、図７のXI-XI線に沿う断面図である。
図１２は、図７のXII−XII線に沿う断面図である。
【００４０】
装着ガイドは、ファンケース３６と浮き収容部５４との接触部（近接部）においてファンケース３６に設けられた凹部９１と、この凹部９１と嵌合するドレンタンク１５に設けられた凸部９２である。図１１および図１２に示すように、凹部９１の中心線Ｌ（凹部９１の幅方向（図７におけるＺ軸方向）の中心軸）と、凸部９２の中心線ｌ（長さ方向（Ｙ軸方向）の軸）とは、一致するようになっている。
【００４１】
ファンケース３６は、浮き収容部５４の外形に対応する形状で形成されており、凹部９１はドレンタンク１５がタンク室５２に装着された場合にドレンタンク１５（浮き収容部５４）の外側底面９５が接する面９６に設けられる。凹部９１は、手前側から奥側に向って細くなるテーパ状を有している。ここで、ファンケース３６における浮き収容部５４との対向面の逆面には、ＡＭＲセンサ８２が実装された基板９０が取り付けられている。凹部９１は、ＡＭＲセンサ８２とマグネット８１とが対向する面の方向である対向面方向におけるＡＭＲセンサ８２の中心に設けられている。すなわち、ＡＭＲセンサ８２の対向面方向における中心と、凹部９１の対向面方向における中心（中心線Ｌ）とは、一致する。ここで、「対向面方向」は、浮き８０の挿入方向（図７におけるＸ軸方向軸）と直交し、かつＡＭＲセンサ８２とマグネット８１との対向方向（Ｙ軸方向）と直交する方向をいい、図１１における左右方向、図７におけるＺ軸方向である。
【００４２】
凸部９２は、ドレンタンク１５がタンク室５２に装着された場合に浮き収容部５４の凹部９１の位置と対応する位置に設けられる。凸部９２は、ＡＭＲセンサ８２とマグネット８１との対向面方向における浮き収容部５４の中心に設けられている。浮き８０とマグネット８１との対向面方向における中心は一致している。このため、マグネット８１の対向面方向における中心と、凸部９２の対向面方向における中心（中心線ｌ）とが一致するように、マグネット８１は浮き収容部５４に収容される。なお、浮き収容部５４は、浮き８０に対して幅方向に遊びを有するため、浮き８０は幅方向に移動することにより中心位置は移動する場合がある。
【００４３】
以上の構成により、マグネット８１とＡＭＲセンサ８２とは、対向面方向におけるマグネット８１の中心とＡＭＲセンサ８２の中心とが一致する位置（すなわち所定位置）となるように配置される。
【００４４】
次に、本実施形態における満水検知ユニットの作用について説明する。
【００４５】
ドレンタンク１５がタンク室５２に装着されると、ＡＭＲセンサ８２は、所定値以上の強さのマグネット８１の磁界を検出する。ＡＭＲセンサ８２の検出結果は、コントロールユニット３４に送信され、コントロールユニット３４はドレンタンク１５が装着されたと判断する。
【００４６】
ドレン水の水位が上昇すると、スリット５５より浮き収容部５４にドレン水が浸入し、浮き８０は浮力により徐々に上昇する。浮き８０の幅Ｗ２は、浮き収容部５４内の収容空間において幅狭領域６４の幅よりも小さいため、幅方向に移動する恐れがある。しかし、マグネット８１は、このような場合であってもＡＭＲセンサ８２が所定値以上の強さの磁界を検出できるような寸法に設計されている。このため、浮き８０の幅方向の移動が生じても検出精度は確保されている。
【００４７】
また、マグネット８１の形状は、浮き８０の移動（上下動）方向に沿った縦長の直方体であり、着磁方向はＡＭＲセンサ８２との対向面における水平方向となっている。これにより、マグネット８１から発生する磁界はマグネット８１の上下動方向に広く磁束を発生させ、広い範囲で磁界の水平成分をＡＭＲセンサ８２に有効に作用させることができる。
【００４８】
ドレン水の水位が規定の満水位置になるまで、ＡＭＲセンサ８２はマグネット８１により発生した所定値以上の磁界を検出し続ける。コントロールユニット３４は検出結果に基づいて、未だドレン水の水位が満水に達していないと判断する。
【００４９】
ドレン水の水位が規定の満水位置になると、ＡＭＲセンサ８２が検出する磁界の強さは、所定値より小さく変化する。コントロールユニット３４は検出結果に基づいて、ドレン水の水位が満水位置に達したと判断する。これに伴い、コントロールユニット３４は、報知部７８を介してユーザへ満水を報知したり、ファンモータ３２や圧縮機４０の運転を停止したりする。
【００５０】
ここで、ドレンタンク１５からドレン水を排水した後などにタンク室５２にドレンタンク１５を装着すると、装着状態によってはマグネット８１とＡＭＲセンサ８２との相対位置が、本来意図されている位置よりずれる場合がある。これは、ファンケース３６に対して設計されたドレンタンク１５の遊びに基づくものであったり、各部品の寸法誤差に基づくものであったりする。
【００５１】
ＡＭＲセンサ８２はマグネット８１の水平方向（対向面方向）の磁界を検出するため、マグネット８１とＡＭＲセンサ８２の水平方向における相対位置がずれると検出する磁界の強さが弱まってしまう。この場合、ＡＭＲセンサ８２が所定値より小さい強さの磁界を検出するタイミングが設計より早まるため、ドレンタンク１５内の水位が満水位置に達していないにもかかわらず満水が検出されてしまう。
【００５２】
これに対し、本実施形態における除湿機１は装着ガイドを有するため、マグネット８１とＡＭＲセンサ８２とが対向面方向におけるマグネット８１の中心とＡＭＲセンサ８２の中心とが一致する位置となるように配置される。具体的には、ドレンタンク１５がタンク挿入口１６よりタンク室５２内に挿入されると、ドレンタンク１５の凸部９２がファンケース３６の凹部９１に嵌まり合い、適切な位置に案内される。このとき、凹部９１は手前側が広いテーパ状であるため、凸部９２の中心線ｌが凹部９１の中心線Ｌに対してずれたとしても、凸部９２が凹部９１に案内されやすくなっている。凹部９１は奥側に向けて狭くなるため、ドレンタンク１５が装着された後は凸部９２が凹部９１に対して水平方向に不要に大きく移動することがない。このため、マグネット８１とＡＭＲセンサ８２との水平方向の中心が一致し、ＡＭＲセンサ８２は精度よく磁界を検出することができる。
【００５３】
このような本実施形態における除湿機１は、ＡＭＲセンサ８２を用いた満水検知ユニットを有することにより、水位検知を高精度に行うことができる上、構造を簡素化することができる。
【００５４】
すなわち、満水検知ユニットに回転軸を有するフロートを用いた場合、フロートの構造が複雑化する上、ドレンタンクにこの回転軸を支える構造を設ける必要がある。これは、構造の複雑に伴い製造性を低下させ、かつユーザにとっても使用性、清掃性を低下させてしまう。また、磁界の検出にリードスイッチやマイクロスイッチを用いた場合、接点における機械動作により劣化が生じる恐れがあり信頼性に欠ける。また、これらスイッチは、検出機構上、大型化が避けられない。さらに、ＡＭＲセンサ８２と同様の半導体の磁気センサであるホールＩＣを用いることも考えられるが、ホールＩＣは垂直方向の磁界を検出するという特性上、検出範囲が限られてしまい、除湿機内における限られた空間内でのマグネットとホールＩＣとの配置に関する設計自由度が大きく低下してしまう。
【００５５】
これに対し、ＡＭＲセンサ８２を用いた場合には、上記方法に比べて、部品寸法を小型化できる。また、ＡＭＲセンサ８２は水平方向の磁界を検出可能というセンサの特性から、配置に関して設計自由度が高い。
【００５６】
さらに、マグネット８１は、浮き８０の移動範囲を考慮し、ＡＭＲセンサ８２との対向面における水平方向に着磁方向を有する、薄板状縦長の直方体とした。このため、水位検知が広い範囲で高精度に行われる。例えば、マグネットの形状を例えば円形にした場合には、本実施形態におけるマグネット８１と同様の範囲でＡＭＲセンサ８２に磁界を検出させようとすると、円形のマグネットの直径はマグネット８１の高さ寸法（例えば１５ｍｍ）よりも大きくする必要がある。マグネットが大きくなると、浮き８０はより大きな浮力を必要とするため、浮き８０の容積が大きくなる。この結果、満水検知ユニット全体の寸法が大きくなったり、組立作業時に着磁方向を水平にするための注意が必要になったりする。この点においても、本実施形態におけるマグネット８１の形状は、満水検知ユニット、ひいては除湿機１の小型化を実現することができる。
【００５７】
さらにまた、除湿機１は装着ガイドを有するため、マグネット８１とＡＭＲセンサ８２との水平方向の中心を好適に一致させることができるため、精度よく磁界を検出することができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５９】
例えば、本発明に係る空気調和機は、除湿機１以外にも空調機、加湿機、乾燥機などの水位検知が必要なタンクを有する機器にも適用することができる。
【００６０】
また、装着ガイドとして凹部９１はドレンタンク１５に、凸部９２はファンケース３６に設けられていてもよい。また、凹部９１に対応して凸部９２がテーパ状であってもよい。
【符号の説明】
【００６１】
１  除湿機
１５  ドレンタンク
１６  タンク挿入口
３４  コントロールユニット
３６  ファンケース
４０  圧縮機
４１  凝縮器
４３  蒸発器
５２  タンク室
５３  タンク蓋
５４  浮き収容部
８０  浮き
８１  マグネット
８２  ＡＭＲセンサ
９０  基板
９１  凹部
９２  凸部
【図１】
0006586022.tif 000002
【図２】
0006586022.tif 000003
【図３】
0006586022.tif 000004
【図４】
0006586022.tif 000005
【図５】
0006586022.tif 000006
【図６】
0006586022.tif 000007
【図７】
0006586022.tif 000008
【図８】
0006586022.tif 000009
【図９】
0006586022.tif 000010
【図１０】
0006586022.tif 000011
【図１１】
0006586022.tif 000012
【図１２】
0006586022.tif 000013